(57)【要約】      （修正有）【課題】一枚ものの楽譜を複数枚、楽器の譜面立てに安定した状態で立てかけるための楽譜保持具を提供する。【解決手段】屏風状に折り曲げ可能に連結された複数の基板１よりなる楽譜保持具において、楽譜固定具を有する基板の底部に断面Ｕ字状のスライダがガイドレール上に形成されている。隣り合った２枚の基板が同一平面になる状態にしたうえで、スライダをガイドレール上を移動させてスライダの略中央部が折り曲げ部５になるように配置する。この操作を展開しようとする基板のすべてに行うことで、展開する基板すべてが同一平面になるような状態になる。この状態の楽譜保持具の中央部が、狭い譜面台の中央部に来るように配置すると、重さがバランスして安定して譜面台に載せられるばかりでなく、譜面台から外れた基板も譜面台に沿った同一平面を維持できるために、必要な枚数の楽譜を同一平面状で一覧できる。【選択図】図６
2014117316.tif 000002
【特許請求の範囲】
【請求項１】
屏風状に折り曲げ可能に連結された複数の基板よりなる楽譜保持具において、楽譜固定具を有する基板の底部に断面Ｕ字状のスライダがガイドレール上に形成されたことを特徴と楽譜保持具。
【請求項２】
前記スライダが隣り合わせる基板の底部のレール上で基板の連結部の上に移動可能なことを特徴とする請求項１記載の楽譜保持具。
【請求項３】
前記スライダが弾性材料であることを特徴とする請求項１または請求項２記載の楽譜保持具。
【発明の詳細な説明】
【技術分野】
【０００１】
本発明は、一枚ものの楽譜を複数枚、楽器の譜面立てに安定した状態で立てかけるための楽譜保持具に関する。
【背景技術】
【０００２】
一枚ものの楽譜とは、冊子状や屏風状につながるのではなく一枚一枚が独立した楽譜のことであるが、近年この一枚ものの楽譜がインターネットやコンビニエンスストアなどで容易に購入できるようになり、多く利用されるようになっている。そしてこのような楽譜を譜面立てにそのまま立てかけておくと、演奏中に不意に倒れてしまったり、風によって飛んでしまうなど、演奏が途中で途切れてしまいかねない欠点が存在する。
【０００３】
そこで一枚ものの楽譜を、楽譜ホルダーに入れて、楽譜を安定した状態で保持するような工夫がなされており、このようにすれば一枚ものの楽譜が、不意に倒れたり、風で飛んだりしにくくなる。
ただし既成の楽譜ホルダーは楽譜３枚保持するものもあるが、２枚を保持するものがほとんどである。（非特許文献１参照）
【０００４】
そこで枚数の多い楽譜を用いるときには、全ページを一目で閲覧できる組み換え自在なクリアファイルなどの利用が考えられる。この組み換え自在なクリアファイルでは、両面クリアなポッケトの両側に、脱着可能にして、折り曲げ自在な接続部が設けられているので、楽譜の枚数に応じてクリアファイルの枚数を決めて、それらを接続させれば、楽譜を一目で閲覧できることになる。（特許文献１参照）
【先行技術文献】
【非特許文献】
【０００５】
【非特許文献１】有限会社三栄社、“楽譜ホルダー”、[online]、[平成２４年９月５日検索]、インターネット<URL: http://www.seihon3ei.jp/gakufu.htm#gakufu1>
【特許文献】
【０００６】
【特許文献１】特開２００６−３０６００５号公報
【発明の概要】
【発明が解決しようとする課題】
【０００７】
しかしながら、上述の従来ある製品としての非特許文献１に示された楽譜ホルダーでは、保持できる楽譜が２ないし３枚程度にとどまることになり、枚数の多い楽譜では対応できないことになる。また３枚の楽譜を保持できるホルダーでは、狭い譜面立てに立てかける場合には、折り畳みが自由にできる構造のために、譜面立てから外れるページが折れ曲がり楽譜の読みとりが難しくなる。
【０００８】
特許文献１に示される発明では、枚数の多い楽譜の場合にも対応可能であるが、折り曲げ自在の接続部を持つために、狭い譜面立てに立てかける場合には、譜面立てから外れるページは、折れ曲がってしまい、不安定になると同時に、譜面立てと同じ平面を保持できないので、一目で全ページを見ることはできない。
【０００９】
本発明は、従来の製品あるいは発明では困難な、枚数の多い一枚ものの楽譜を、狭い譜面立てに一目で閲覧可能に立てかけること可能とするためになされたものである。
【課題を解決するための手段】
【００１０】
上記目的を達成するため、請求項１記載の楽譜保持具は、屏風状に折り曲げ可能に連結された複数の基板よりなる楽譜保持具において、楽譜固定具を有する基板の底部に断面Ｕ字状のスライダがガイドレール上に形成されたことを特徴としている。
【００１１】
また請求項２記載の発明は、請求項１記載の楽譜保持具において、前記スライダが隣り合わせる基板の底部のレール上で基板の連結部の上に移動可能なことを特徴としている。
【００１２】
また請求項３記載の発明は、請求項１または２記載の楽譜保持具において、スライダが弾性材料であることを特徴としている。
【発明の効果】
【００１３】
請求項１記載の発明によれば、屏風状に折りたためるので、不要な部分を折りたたみ、１枚ものの楽譜を必要な枚数収納し、楽譜保持具を一目で閲覧できる状態にして楽譜立てに置くことができる。
【００１４】
請求項２記載の発明では、請求項１の発明が、楽譜枚数に合わせて、表面に展開する基板の枚数を調整でき、それらを楽譜立てに立てることができるが、それに加えて、展開された基板の隣り合わせたレール上にスライダを移動させて、基板が連結部で折れ曲がることを防ぐことができ、かつ譜面台に平行な平面とすることができるので、すべての楽譜を一目で閲覧可能となる。
【００１５】
請求項３記載の発明では、スライダが弾性体で構成されているので、レールの形状に対応しやすく、また基板の隣接部にスライダが移動しやすい。
【図面の簡単な説明】
【００１６】
【図１】本発明の実施例１において折りたたみ可能な状態における斜視図である。
【図２】実施例１における、スライドが移動して折り畳みを防ぐことで一つの平面を形成する時の斜視図である。
【図３】実施例１における基板底部の拡大図である。
【図４】実施例１におけるスライドの形状を示す斜視図である。
【図５】実施例１において隣り合わせた基板の間に設けられる折り曲げ部を示す斜視図である。
【図６】本発明の実施例１における楽譜保持具を折り畳みを防ぐ状態にして一つの平面を形成する形態でグランドピアノの譜面板に置いたときの斜視図である。
【図７】本発明の実施例１における楽譜保持具を折り畳みを防ぐ状態にして一つの平面を形成する形態でグランドピアノの譜面板に置いたときの正面図である。
【図８】本発明の実施例１において、楽譜が４枚あるいはそれ以下の場合に、楽譜保持具を二つに折りたたんだ時の斜視図である。
【図９】本発明の実施例１において、完全に折りたたんで一つの冊子のような状態にしたときの斜視図である。
【図１０】本発明において基板の裏面に表面とは異なる大きさの楽譜を保持する場合の基板の裏面（ａ）と表面（ｂ）を現す斜視図である。
【図１１】本発明の実施例２における、折り畳み可能な状態における斜視図である。
【図１２】実施例２における、スライドが移動して折り畳みを防ぐことで一つの平面を形成する時の斜視図である。
【図１３】本発明の実施例２において、楽譜が２枚あるいはそれ以下の場合に、楽譜保持具を二つに折りたたんだ時の斜視図である。
【図１４】楽譜を２枚載せることを基本とする譜面台
【発明を実施するための形態】
【００１７】
本発明は基板底部にガイドレールとスライドを有する特徴を持つものであるが、
その構造と効果について図１ないし図１４を用いて具体的に説明する。
【実施例１】
【００１８】
図１に示すように本実施例の楽譜保持具は、複数の基板１が屏風状に折り曲げ可能になるように折り曲げ部５を介して連結されており、その基板１には楽譜６を基板上に固定する楽譜保持ガイド２が、基板１の左右に設けられている。楽譜６は基板１の左右に設けられた楽譜保持ガイド２に上から差し込まれて保持されるが、楽譜ガイド２の底の部分は図３に示されるように閉じられていて、下に落ちない構造となっている。また基板１の底部にはガイドレール３が基板１の横幅一杯に形成されていて、その上を左右に移動可能に断面Ｕ字状のスライダ４がレール上に設けられている。
【００１９】
本楽譜保持具は、一枚ものの楽譜複数枚を狭い譜面立てに、一覧できる状態で安定的に立てることを目的にしているので、図１に示すように折り曲げできる状態のままでは、狭い譜面立てに安定して立てことはできないし、楽譜を一覧できない。
そこで図２に示すように、スライダ４を隣り合った２枚の基板が同一平面になる状態にしたうえで、スライダ４をガイドレール３上を移動させてスライダ４の略中央部が折り曲げ部５になるように配置する。
この操作を展開しようとする楽譜の枚数に対応した基板の折り曲げ部にすべて行うことで、図２に示すように、展開する基板すべてが同一平面になるようにガイド４が配置される。この状態になると展開しようとする基板すべてが同一平面になると同時に折り曲げがなしえない状態に固定されるので、本楽譜保持具の略中央部が譜面台の中央部と一致するように譜面台に載せれば、譜面台が狭く本楽譜保持具に載らない部分が出てきても、本楽譜保持具は重さがバランスする形で、譜面台上に載せることが可能になるばかりでなく、譜面台から外れた基板も譜面台に沿った同一平面を維持できるために、必要な枚数の楽譜を同一平面状で一覧でき、演奏をスムースに行うことができる。
【００２０】
基板１の底部におけるガイドレール３とスライダの構造については図３に示すように、基板底部に基板上部の厚さよりも若干厚みのあるガイドレール３が設けられている。そしてその厚みのあるガイドレール３を覆う形で、断面が略Ｕ字状のスライド４がはめ込まれていて、スライド４のＵ字状溝の上部には、図４に示すようにスライダ４が下方向に抜けないようにするために、突起形状が設けられている。
そしてスライド４は、ガイドレール３上を左右に自由に移動でき、かつ隣り合わせる基板底部のガイドレール上にも移動可能となる形状となっている。
図４はスライド４の形状概観を示す斜視図であるが、上部に突起のあるＵ字型溝を有し、かつ隣り合う基板の折り曲げ部５の上に移動することで、楽譜保持具の折り曲げを防止して、楽譜保持具が一つの面を構成するように保持し、狭い譜面台の上に置かれても、譜面台から外れた基板があっても、基板の重さを支えることができるように、スライド４の長さは、基板の横幅に比して、略半分程度の長さを有している。
なお図３には折り曲げ部は図示していない。
【００２１】
図５は隣り合わせた基板１を折り曲げ可能につなぎ合わせるために設けられる折り曲げ部５の拡大図である。折り曲げ部５は左右の基板の側端面に固着する形で設けられる折り曲げ可能なシート状のものであるが、基板を折り畳んだ際に、基板１の厚みに加えて、楽譜保持ガイド２、ガイドレール３、スライド４などの厚みがあっても、隣り合わせた基板の平面が平行になるように折り曲げられるように、一定の幅を有している。
【００２２】
図６は本実施例の特徴がもっとも活かされるグランドピアノにおいて使用する場合の譜面台８並びに譜面台竿９より上の構造を示したものである。図７は図６の正面図であるが、図７に示すようにグランドピアノにおいて楽譜を立てかける譜面板７の底は譜面台竿９が支える構造となっている。そして譜面台竿９の両側には譜面台８があるが、この譜面台の上面は、譜面台竿９よりも若干高くなっていて、譜面台８の外側には譜面台レール１０があり、この上面は譜面台８と同じである。
このような構造であるので、図７から分かるようにＡ４版の大きさの楽譜４枚程度まででは、譜面板７に立てかけて使う場合に、楽譜保持具の底は譜面台竿９の上面が支えることになり、安定した状態で設置できる。しかし５枚あるいはそれ以上の枚数の場合には、楽譜保持具の幅が譜面台竿９の範囲を越えるので、楽譜保持具の底が譜面台竿９ではなくその両側の譜面台８上面にかかることになる。
このような場合に、楽譜保持具の底の両端が譜面台８上面に支えられることになり、楽譜保持具の底の中央部の大部分は譜面台竿９の上面よりも浮いた状態になる。このような状態においても楽譜保持具が安定的に譜面板７に立てかけられるためには、楽譜保持具の底が横一直線で固定的に維持される必要があるが、本実施例のように楽譜保持具の基板の底面に構成されるガイドレールを、それぞれ隣り合うガイドレール同士をスライドを移動させることで、つなぎ合わせれば、横一直線状態に保持できるので、楽譜保持具の底の両端が譜面台８上面で支えられ、中央部が譜面台竿９から浮いていても、譜面板に安定的に立てかけ可能となる。
また譜面保持具の底を横一直線に維持できると同じように、譜面板７から外れた部分でも、基板１を横一直線の面を維持できるので、楽譜が折れ曲がって見にくくなることもなく、本実施例では楽譜７枚程度であれば、グランドピアノの演奏者はこれらの楽譜を一目で見渡すことができる。もちろん７枚よりも多い枚数でも楽譜保持具を安定的に立てかけることは可能であることは言うまでもないが、楽譜を一目で見渡すことは難しくなる。
【００２３】
図８は本実施例で、楽譜の枚数が少ない場合の使用例を示すもので、７枚の基板１の内で、右側の３枚分を折り畳んだ場合である。図では折り畳み状態が分かるように、折り畳んだ部分を少し角度を付けて表示しているが、使用する場合には表側になっている基板１の裏面に密着する形で使うので、折り畳んで基板１が２枚重なる部分でもその厚さはわずかであるので、譜面台に安定的に立てかけることができる。このようにすれば４枚以下の楽譜の場合に、グランドピアノ、アップライトピアノ、電子オルガンなどの鍵盤楽器などの演奏において、一枚ものの楽譜を安定した状態で、かつ一目で楽譜を閲覧することができる。
【００２４】
図９は本実施例の楽譜保持具を基板１の大きさになるように折り畳んだ状態のもので、基板１、楽譜保持ガイド２、ガイドレール３、スライドの厚みは小さいので、７枚の基板があっても、折り畳んでしまえば１冊のノート程度の厚さになることを示している。従って７枚の基板はあっても、本実施例の楽譜保持具は持ち運びも容易である。
【００２５】
図１０は本実施例において、基板１に異なる大きさの楽譜を収容できるようにした場合で、基板の表面（ｂ）にはＡ４の大きさの楽譜が収容できる楽譜保持ガイド２が基板１の両側に設けられている。また同じ基板１の裏面（ａ）にはＢ５の大きさの楽譜保持ガイド１１が設けられている。この楽譜保持ガイ１１ドが、すべての基板の表面と裏面に設けられれば、一つの楽譜保持具でＡ４及びＢ５の大きさのどちらの大きさの楽譜にも対応可能になる。
また基板の表面にＡ４とＢ５の両方の楽譜保持ガイドを設けることも可能であるし、その場合には裏面にはまた別の大きさの楽譜保持ガイドを設けることが可能になり、多くの大きさの楽譜を用いることができる。さらには楽譜保持ガイドを可動型にして、楽譜の大きさに応じて楽譜保持ガイドを動かして対応する構造もあり得る。
【実施例２】
【００２６】
実施例２の場合について、図１１ないし図１４を用いて説明するが、図１ないし図１０で示した構成要素については同一符号を付している。
実施例２は実施例１における基板の枚数が４枚の場合である。図１１に示すように、基板１は折り曲げ部５を介してつながっていて、それぞれの基板１には、楽譜６を保持するための楽譜保持ガイド２が基板１の左右両側に設けられている。また基板１の底部にはガイドレール３が基板１の横幅一杯に存在し、そしてガイドレール３上には、ガイドレール３に沿って移動可能なスライド４があり、スライド４は隣接する基板の間にある折り曲げ部上に移動することができる。
【００２７】
本実施例でも図１１のように折り曲げ可能な状態では、狭い譜面立てに立てかけた場合に、譜面立てから外れた基板は折れ曲がるので、安定して立てかけることができないばかりでなく、折れ曲がる基板上の譜面は読取りが難しくなる。
そこで図１２に示すようにスライダ４が隣り合う基板の折り曲げ部５に移動させる作業を、楽譜を展開する基板４枚が平面になるように行うと、４枚の基板が一つの平面の状態で固定されるので、狭い譜面立てに立てかけても、楽譜保持具を安定的に立てかけることが可能であると同時に、４枚の楽譜を一目で読み取ることができる。
【００２８】
図１３は本実施例を折り畳んで、図１４のような管楽器などの演奏によく使われる譜面立てに立てかける場合の例を示している。このように本実施例では、楽譜を２枚程度立てかける場合にも対応できると同時に、４枚以内の枚数の楽譜に対応可能である。
実施例１の７枚の場合には、図１４のような譜面立てに立てかける場合には、折り畳みを３回行う必要があり、楽譜保持具の厚みが増すと同時に、譜面立てに立てかけた時には、安定性が悪くなるなどの欠点があるので、管楽器などの演奏に使われる譜面立てなどの場合には、本実施例のような基板が４枚の場合が対応しやすい。
【００２９】
本実施例の場合においても、実施例１で示したように基板の表面にはＡ４版の楽譜を固定する楽譜保持ガイドを裏面にはＢ５版の楽譜の楽譜保持ガイドを設けることによって、両方の大きさの楽譜のどちらにも対応可能にすることができる。
また基板の表面にＡ４とＢ５の両方の楽譜保持ガイドを設けることも可能であるし、その場合には裏面にはまた別の大きさの楽譜保持ガイドを設けることが可能になり、多くの大きさの楽譜を用いることができる。さらには楽譜保持ガイドを可動型にして、楽譜の大きさに応じて楽譜保持ガイドを動かして対応する構造もあり得る。
【００３０】
請求項１乃至請求項３に記載の楽譜保持具は、基板１同士がつながらないばらばらの場合にも、各基板１上に設けられている、ガイドレール３をスライダ４で結ぶことで、使用可能であるし、この場合にはガイドレールとスライダを基板の上部にも設けることで、より安定性のある楽譜保持具として用いることが可能である。
【産業上の利用可能性】
【００３１】
請求項１乃至請求項３に記載の楽譜保持具は、楽譜以外の１枚ものの資料を一目で閲覧しなければならい場面でも利用できる。
【符号の説明】
【００３２】
1…基板、２…楽譜保持ガイド、３…ガイドレール、４…スライド、５…折り曲げ部、６…楽譜、７…譜面板、８…譜面台、９…譜面台竿、１０…譜面台レール、１１…楽譜保持ガイド
【図１】
2014117316.tif 000003
【図２】
2014117316.tif 000004
【図３】
2014117316.tif 000005
【図４】
2014117316.tif 000006
【図５】
2014117316.tif 000007
【図６】
2014117316.tif 000008
【図７】
2014117316.tif 000009
【図８】
2014117316.tif 000010
【図９】
2014117316.tif 000011
【図１１】
2014117316.tif 000012
【図１２】
2014117316.tif 000013
【図１３】
2014117316.tif 000014
【図１４】
2014117316.tif 000015
【図１０】
2014117316.tif 000016
【手続補正書】
【提出日】平成25年6月25日(2013.6.25)
【手続補正１】
【補正対象書類名】特許請求の範囲
【補正対象項目名】全文
【補正方法】変更
【補正の内容】
【特許請求の範囲】
【請求項１】
屏風状に折り曲げ可能に連結された複数の基板よりなる楽譜保持具において、楽譜固定具を有する基板の底部に設けられるガイドレール上に、隣り合わせる基板の連結部の上に移動可能な断面Ｕ字状のスライダが形成されたことを特徴とする楽譜保持具。
【請求項２】
前記スライダが弾性材料であることを特徴とする請求項１記載の楽譜保持具。
【手続補正２】
【補正対象書類名】明細書
【補正対象項目名】全文
【補正方法】変更
【補正の内容】
【発明の詳細な説明】
【技術分野】
【０００１】
本発明は、一枚ものの楽譜を複数枚、楽器の譜面立てに安定した状態で立てかけるための楽譜保持具に関する。
【背景技術】
【０００２】
一枚ものの楽譜とは、冊子状や屏風状につながるのではなく一枚一枚が独立した楽譜のことであるが、近年この一枚ものの楽譜がインターネットやコンビニエンスストアなどで容易に購入できるようになり、多く利用されるようになっている。そしてこのような楽譜を譜面立てにそのまま立てかけておくと、演奏中に不意に倒れてしまったり、風によって飛んでしまうなど、演奏が途中で途切れてしまいかねない欠点が存在する。
【０００３】
そこで一枚ものの楽譜を、楽譜ホルダーに入れて、楽譜を安定した状態で保持するような工夫がなされており、このようにすれば一枚ものの楽譜が、不意に倒れたり、風で飛んだりしにくくなる。
ただし既成の楽譜ホルダーは楽譜３枚保持するものもあるが、２枚を保持するものがほとんどである。（非特許文献１参照）
【０００４】
そこで枚数の多い楽譜を用いるときには、全ページを一目で閲覧できる組み換え自在なクリアファイルなどの利用が考えられる。この組み換え自在なクリアファイルでは、両面クリアなポッケトの両側に、脱着可能にして、折り曲げ自在な接続部が設けられているので、楽譜の枚数に応じてクリアファイルの枚数を決めて、それらを接続させれば、楽譜を一目で閲覧できることになる。（特許文献１参照）
【先行技術文献】
【非特許文献】
【０００５】
【非特許文献１】有限会社三栄社、“楽譜ホルダー”、[online]、[平成２４年９月５日検索]、インターネット<URL: http://www.seihon3ei.jp/gakufu.htm#gakufu1>
【特許文献】
【０００６】
【特許文献１】特開２００６−３０６００５号公報
【発明の概要】
【発明が解決しようとする課題】
【０００７】
しかしながら、上述の従来ある製品としての非特許文献１に示された楽譜ホルダーでは、保持できる楽譜が２ないし３枚程度にとどまることになり、枚数の多い楽譜では対応できないことになる。また３枚の楽譜を保持できるホルダーでは、狭い譜面立てに立てかける場合には、折り畳みが自由にできる構造のために、譜面立てから外れるページが折れ曲がり楽譜の読みとりが難しくなる。
【０００８】
特許文献１に示される発明では、枚数の多い楽譜の場合にも対応可能であるが、折り曲げ自在の接続部を持つために、狭い譜面立てに立てかける場合には、譜面立てから外れるページは、折れ曲がってしまい、不安定になると同時に、譜面立てと同じ平面を保持できないので、一目で全ページを見ることはできない。
【０００９】
本発明は、従来の製品あるいは発明では困難な、枚数の多い一枚ものの楽譜を、狭い譜面立てに一目で閲覧可能に立てかけること可能とするためになされたものである。
【課題を解決するための手段】
【００１０】
上記目的を達成するため、請求項１記載の楽譜保持具は、屏風状に折り曲げ可能に連結された複数の基板よりなる楽譜保持具において、楽譜固定具を有する基板の底部に設けられるガイドレール上に、隣り合わせる基板の連結部の上に移動可能な断面Ｕ字状のスライダが形成されたことを特徴としている。
【００１１】
また請求項２記載の発明は、請求項１記載の楽譜保持具において、スライダが弾性材料であることを特徴としている。
【発明の効果】
【００１２】
請求項１記載の発明によれば、屏風状に折りたためるので、不要な部分を折りたたみ、１枚ものの楽譜を必要な枚数収納し、楽譜保持具を一目で閲覧できる状態にして楽譜立てに置くことができる。また、それに加えて、展開された基板の隣り合わせたガイドレール上にスライダを移動させて、基板が連結部で折れ曲がることを防ぐことができ、かつ譜面台に平行な平面とすることができるので、すべての楽譜を一目で閲覧可能となる。
【００１３】
請求項２記載の発明では、スライダが弾性体で構成されているので、ガイドレールの形状に対応しやすく、また基板の隣接部にスライダが移動しやすい。
【図面の簡単な説明】
【００１４】
【図１】本発明の実施例１において折りたたみ可能な状態における斜視図である。
【図２】実施例１における、スライドが移動して折り畳みを防ぐことで一つの平面を形成する時の斜視図である。
【図３】実施例１における基板底部の拡大図である。
【図４】実施例１におけるスライドの形状を示す斜視図である。
【図５】実施例１において隣り合わせた基板の間に設けられる折り曲げ部を示す斜視図である。
【図６】本発明の実施例１における楽譜保持具を折り畳みを防ぐ状態にして一つの平面を形成する形態でグランドピアノの譜面板に置いたときの斜視図である。
【図７】本発明の実施例１における楽譜保持具を折り畳みを防ぐ状態にして一つの平面を形成する形態でグランドピアノの譜面板に置いたときの正面図である。
【図８】本発明の実施例１において、楽譜が４枚あるいはそれ以下の場合に、楽譜保持具を二つに折りたたんだ時の斜視図である。
【図９】本発明の実施例１において、完全に折りたたんで一つの冊子のような状態にしたときの斜視図である。
【図１０】本発明において基板の裏面に表面とは異なる大きさの楽譜を保持する場合の基板の裏面（ａ）と表面（ｂ）を現す斜視図である。
【図１１】本発明の実施例２における、折り畳み可能な状態における斜視図である。
【図１２】実施例２における、スライドが移動して折り畳みを防ぐことで一つの平面を形成する時の斜視図である。
【図１３】本発明の実施例２において、楽譜が２枚あるいはそれ以下の場合に、楽譜保持具を二つに折りたたんだ時の斜視図である。
【図１４】楽譜を２枚載せることを基本とする譜面台
【発明を実施するための形態】
【００１５】
本発明は基板底部にガイドレールとスライドを有する特徴を持つものであるが、
その構造と効果について図１ないし図１４を用いて具体的に説明する。
【実施例１】
【００１６】
図１に示すように本実施例の楽譜保持具は、複数の基板１が屏風状に折り曲げ可能になるように折り曲げ部５を介して連結されており、その基板１には楽譜６を基板上に固定する楽譜保持ガイド２が、基板１の左右に設けられている。楽譜６は基板１の左右に設けられた楽譜保持ガイド２に上から差し込まれて保持されるが、楽譜ガイド２の底の部分は図３に示されるように閉じられていて、下に落ちない構造となっている。また基板１の底部にはガイドレール３が基板１の横幅一杯に形成されていて、その上を左右に移動可能に断面Ｕ字状のスライダ４がガイドレール３上に設けられている。
【００１７】
本楽譜保持具は、一枚ものの楽譜複数枚を狭い譜面立てに、一覧できる状態で安定的に立てることを目的にしているので、図１に示すように折り曲げできる状態のままでは、狭い譜面立てに安定して立てことはできないし、楽譜を一覧できない。
そこで図２に示すように、スライダ４を隣り合った２枚の基板が同一平面になる状態にしたうえで、スライダ４をガイドレール３上を移動させてスライダ４の略中央部が折り曲げ部５になるように配置する。
この操作を展開しようとする楽譜の枚数に対応した基板の折り曲げ部にすべて行うことで、図２に示すように、展開する基板すべてが同一平面になるようにガイド４が配置される。この状態になると展開しようとする基板すべてが同一平面になると同時に折り曲げがなしえない状態に固定されるので、本楽譜保持具の略中央部が譜面台の中央部と一致するように譜面台に載せれば、譜面台が狭く本楽譜保持具に載らない部分が出てきても、本楽譜保持具は重さがバランスする形で、譜面台上に載せることが可能になるばかりでなく、譜面台から外れた基板も譜面台に沿った同一平面を維持できるために、必要な枚数の楽譜を同一平面状で一覧でき、演奏をスムースに行うことができる。
【００１８】
基板１の底部におけるガイドレール３とスライダの構造については図３に示すように、基板底部に基板上部の厚さよりも若干厚みのあるガイドレール３が設けられている。そしてその厚みのあるガイドレール３を覆う形で、断面が略Ｕ字状のスライド４がはめ込まれていて、スライド４のＵ字状溝の上部には、図４に示すようにスライダ４が下方向に抜けないようにするために、突起形状が設けられている。
そしてスライド４は、ガイドレール３上を左右に自由に移動でき、かつ隣り合わせる基板底部のガイドレール上にも移動可能となる形状となっている。
図４はスライド４の形状概観を示す斜視図であるが、上部に突起のあるＵ字型溝を有し、かつ隣り合う基板の折り曲げ部５の上に移動することで、楽譜保持具の折り曲げを防止して、楽譜保持具が一つの面を構成するように保持し、狭い譜面台の上に置かれても、譜面台から外れた基板があっても、基板の重さを支えることができるように、スライド４の長さは、基板の横幅に比して、略半分程度の長さを有している。
なお図３には折り曲げ部は図示していない。
【００１９】
図５は隣り合わせた基板１を折り曲げ可能につなぎ合わせるために設けられる折り曲げ部５の拡大図である。折り曲げ部５は左右の基板の側端面に固着する形で設けられる折り曲げ可能なシート状のものであるが、基板を折り畳んだ際に、基板１の厚みに加えて、楽譜保持ガイド２、ガイドレール３、スライド４などの厚みがあっても、隣り合わせた基板の平面が平行になるように折り曲げられるように、一定の幅を有している。
【００２０】
図６は本実施例の特徴がもっとも活かされるグランドピアノにおいて使用する場合の譜面台８並びに譜面台竿９より上の構造を示したものである。図７は図６の正面図であるが、図７に示すようにグランドピアノにおいて楽譜を立てかける譜面板７の底は譜面台竿９が支える構造となっている。そして譜面台竿９の両側には譜面台８があるが、この譜面台の上面は、譜面台竿９よりも若干高くなっていて、譜面台８の外側には譜面台レール１０があり、この上面は譜面台８と同じである。
このような構造であるので、図７から分かるようにＡ４版の大きさの楽譜４枚程度まででは、譜面板７に立てかけて使う場合に、楽譜保持具の底は譜面台竿９の上面が支えることになり、安定した状態で設置できる。しかし５枚あるいはそれ以上の枚数の場合には、楽譜保持具の幅が譜面台竿９の範囲を越えるので、楽譜保持具の底が譜面台竿９ではなくその両側の譜面台８上面にかかることになる。
このような場合に、楽譜保持具の底の両端が譜面台８上面に支えられることになり、楽譜保持具の底の中央部の大部分は譜面台竿９の上面よりも浮いた状態になる。このような状態においても楽譜保持具が安定的に譜面板７に立てかけられるためには、楽譜保持具の底が横一直線で固定的に維持される必要があるが、本実施例のように楽譜保持具の基板の底面に構成されるガイドレールを、それぞれ隣り合うガイドレール同士をスライドを移動させることで、つなぎ合わせれば、横一直線状態に保持できるので、楽譜保持具の底の両端が譜面台８上面で支えられ、中央部が譜面台竿９から浮いていても、譜面板に安定的に立てかけ可能となる。
また譜面保持具の底を横一直線に維持できると同じように、譜面板７から外れた部分でも、基板１を横一直線の面を維持できるので、楽譜が折れ曲がって見にくくなることもなく、本実施例では楽譜７枚程度であれば、グランドピアノの演奏者はこれらの楽譜を一目で見渡すことができる。もちろん７枚よりも多い枚数でも楽譜保持具を安定的に立てかけることは可能であることは言うまでもないが、楽譜を一目で見渡すことは難しくなる。
【００２１】
図８は本実施例で、楽譜の枚数が少ない場合の使用例を示すもので、７枚の基板１の内で、右側の３枚分を折り畳んだ場合である。図では折り畳み状態が分かるように、折り畳んだ部分を少し角度を付けて表示しているが、使用する場合には表側になっている基板１の裏面に密着する形で使うので、折り畳んで基板１が２枚重なる部分でもその厚さはわずかであるので、譜面台に安定的に立てかけることができる。このようにすれば４枚以下の楽譜の場合に、グランドピアノ、アップライトピアノ、電子オルガンなどの鍵盤楽器などの演奏において、一枚ものの楽譜を安定した状態で、かつ一目で楽譜を閲覧することができる。
【００２２】
図９は本実施例の楽譜保持具を基板１の大きさになるように折り畳んだ状態のもので、基板１、楽譜保持ガイド２、ガイドレール３、スライドの厚みは小さいので、７枚の基板があっても、折り畳んでしまえば１冊のノート程度の厚さになることを示している。従って７枚の基板はあっても、本実施例の楽譜保持具は持ち運びも容易である。
【００２３】
図１０は本実施例において、基板１に異なる大きさの楽譜を収容できるようにした場合で、基板の表面にはＡ４の大きさの楽譜が収容できる楽譜保持ガイド２が基板１の両側に設けられている。また同じ基板１の裏面にはＢ５の大きさの楽譜保持ガイド１１が設けられている。この楽譜保持ガイド１１が、すべての基板の表面と裏面に設けられれば、一つの楽譜保持具でＡ４及びＢ５の大きさのどちらの大きさの楽譜にも対応可能になる。
また基板の表面にＡ４とＢ５の両方の楽譜保持ガイドを設けることも可能であるし、その場合には裏面にはまた別の大きさの楽譜保持ガイドを設けることが可能になり、多くの大きさの楽譜を用いることができる。さらには楽譜保持ガイドを可動型にして、楽譜の大きさに応じて楽譜保持ガイドを動かして対応する構造もあり得る。
【実施例２】
【００２４】
実施例２の場合について、図１１ないし図１４を用いて説明するが、図１ないし図１０で示した構成要素については同一符号を付している。
実施例２は実施例１における基板の枚数が４枚の場合である。図１１に示すように、基板１は折り曲げ部５を介してつながっていて、それぞれの基板１には、楽譜６を保持するための楽譜保持ガイド２が基板１の左右両側に設けられている。また基板１の底部にはガイドレール３が基板１の横幅一杯に存在し、そしてガイドレール３上には、ガイドレール３に沿って移動可能なスライド４があり、スライド４は隣接する基板の間にある折り曲げ部上に移動することができる。
【００２５】
本実施例でも図１１のように折り曲げ可能な状態では、狭い譜面立てに立てかけた場合に、譜面立てから外れた基板は折れ曲がるので、安定して立てかけることができないばかりでなく、折れ曲がる基板上の譜面は読取りが難しくなる。
そこで図１２に示すようにスライダ４が隣り合う基板の折り曲げ部５に移動させる作業を、楽譜を展開する基板４枚が平面になるように行うと、４枚の基板が一つの平面の状態で固定されるので、狭い譜面立てに立てかけても、楽譜保持具を安定的に立てかけることが可能であると同時に、４枚の楽譜を一目で読み取ることができる。
【００２６】
図１３は本実施例を折り畳んで、図１４のような管楽器などの演奏によく使われる譜面立てに立てかける場合の例を示している。このように本実施例では、楽譜を２枚程度立てかける場合にも対応できると同時に、４枚以内の枚数の楽譜に対応可能である。
実施例１の７枚の場合には、図１４のような譜面立てに立てかける場合には、折り畳みを３回行う必要があり、楽譜保持具の厚みが増すと同時に、譜面立てに立てかけた時には、安定性が悪くなるなどの欠点があるので、管楽器などの演奏に使われる譜面立てなどの場合には、本実施例のような基板が４枚の場合が対応しやすい。
【００２７】
本実施例の場合においても、実施例１で示したように基板の表面にはＡ４版の楽譜を固定する楽譜保持ガイドを裏面にはＢ５版の楽譜の楽譜保持ガイドを設けることによって、両方の大きさの楽譜のどちらにも対応可能にすることができる。
また基板の表面にＡ４とＢ５の両方の楽譜保持ガイドを設けることも可能であるし、その場合には裏面にはまた別の大きさの楽譜保持ガイドを設けることが可能になり、多くの大きさの楽譜を用いることができる。さらには楽譜保持ガイドを可動型にして、楽譜の大きさに応じて楽譜保持ガイドを動かして対応する構造もあり得る。
【００２８】
請求項１乃至請求項２に記載の楽譜保持具は、基板１同士がつながらないばらばらの場合にも、各基板１上に設けられている、ガイドレール３をスライダ４で結ぶことで、使用可能であるし、この場合にはガイドレールとスライダを基板の上部にも設けることで、より安定性のある楽譜保持具として用いることが可能である。
【産業上の利用可能性】
【００２９】
請求項１乃至請求項２に記載の楽譜保持具は、楽譜以外の１枚ものの資料を一目で閲覧しなければならい場面でも利用できる。
【符号の説明】
【００３０】
1…基板、２…楽譜保持ガイド、３…ガイドレール、４…スライド、５…折り曲げ部、６…楽譜、７…譜面板、８…譜面台、９…譜面台竿、１０…譜面台レール、１１…楽譜保持ガイド